(57)【特許請求の範囲】
【請求項１】
商用電源ラインの活電線および中性線、大地に接続される接地線の３線を含む屋内引込配線における上記中性線と上記接地線の配線接続の適否を検査する配線チェッカーにおいて、
上記活電線と接続されるべき第１入力端子，上記中性線と接続されるべき第２入力端子および上記接地線と接続されるべき第３入力端子の３つの入力端子と、
直列に接続された第１および第２抵抗素子の少なくとも２つ抵抗素子を有し、上記第１入力端子と上記第２入力端子との間に、上記第１抵抗素子を上記第１入力端子側とし上記第２抵抗素子を上記第２入力端子側として接続された抵抗回路と、
上記第２抵抗素子の両端間に接続された電圧測定手段と、
上記第３入力端子を上記第２抵抗素子の低電位側に選択的に接続するスイッチ手段と、
上記電圧測定手段により測定された測定電圧値に基づいて上記中性線と上記接地線の配線接続の適否を判定する判定手段とを備え、
上記抵抗回路に含まれる上記第１抵抗素子と上記第２抵抗素子は、相対的に上記第１抵抗素子が高抵抗素子で、上記第２抵抗素子が低抵抗素子であり、
上記判定手段は、上記スイッチ手段をオンにしたときと、上記スイッチ手段をオフにしたときとで上記測定電圧値が変化しない場合には正常配線と判定し、上記スイッチ手段をオンしたときと、オフにしたときとで上記測定電圧値が変化した場合には誤配線と判定することを特徴とする配線チェッカー。
【請求項２】
商用電源ラインの活電線および中性線、大地に接続される接地線の３線を含む屋内引込配線における上記中性線と上記接地線の配線接続の適否を検査する配線チェッカーにおいて、
上記活電線と接続されるべき第１入力端子，上記中性線と接続されるべき第２入力端子および上記接地線と接続されるべき第３入力端子の３つの入力端子と、
直列に接続された第１および第２抵抗素子の少なくとも２つ抵抗素子を有し、上記第１入力端子と上記第３入力端子との間に、上記第１抵抗素子を上記第１入力端子側とし上記第２抵抗素子を上記第３入力端子側として接続された抵抗回路と、
上記第２抵抗素子の両端間に接続された電圧測定手段と、
上記第２入力端子を上記第２抵抗素子の低電位側に選択的に接続するスイッチ手段と、
上記電圧測定手段により測定された測定電圧値に基づいて上記中性線と上記接地線の配線接続の適否を判定する判定手段とを備え、
上記判定手段は、上記スイッチ手段をオンにしたときと、上記スイッチ手段をオフにしたときとで上記測定電圧値が変化する場合には正常配線と判定し、上記スイッチ手段をオンしたときと、オフにしたときとで上記測定電圧値が変化しない場合には誤配線と判定することを特徴とする配線チェッカー。
【請求項３】
商用電源ラインの活電線および中性線、大地に接続される接地線の３線を含む屋内引込配線における上記中性線と上記接地線の配線接続の適否を検査する配線チェッカーにおいて、
上記活電線と接続されるべき第１入力端子，上記中性線と接続されるべき第２入力端子および上記接地線と接続されるべき第３入力端子の３つの入力端子と、
第１スイッチ手段を介して上記第２入力端子が選択的に接続される第１内部接点および第２内部接点と、第２スイッチ手段を介して上記第３入力端子が選択的に接続される第３内部接点および第４内部接点と、
直列に接続された第１および第２抵抗素子の少なくとも２つの抵抗素子を有し、上記第１入力端子と上記第１内部接点との間に、上記第１抵抗素子を上記第１入力端子側とし上記第２抵抗素子を上記第１内部接点側として接続された抵抗回路と、
上記第２抵抗素子の両端間に接続された電圧測定手段と、
上記電圧測定手段により測定された測定電圧値に基づいて上記中性線と上記接地線の配線接続の適否を判定する判定手段とを備え、
上記第２内部接点および第３内部接点が第３スイッチ手段を介して上記第２抵抗素子の低電位側に接続されているとともに、上記第４内部接点が上記第１内部接点とともに上記第２抵抗素子の低電位側に接続されており、
上記判定手段は、上記第１および上記第２スイッチ手段により、上記第２入力端子が上記第１内部接点に接続され、上記第３入力端子が上記第３内部接点に接続されている第１の接続状態において、上記第３スイッチ手段をオンにしたときと、オフにしたときとで上記測定電圧値が変化せず、かつ、上記第１および上記第２スイッチ手段により、上記２入力端子が上記第２内部接点に接続され、上記第３入力端子が上記第４内部接点に接続されている第２の接続状態において、上記第３スイッチ手段をオンにしたときと、オフにしたときとで上記測定電圧値が変化した場合には正常配線と判定し、
これに対して、上記第１の接続状態において、上記第３スイッチ手段をオンにしたときと、オフにしたときとで上記測定電圧値が変化し、かつ、上記第２の接続状態において、上記第３スイッチ手段をオンにしたときと、オフにしたときとで上記測定電圧値が変化しない場合には誤配線と判定することを特徴とする配線チェッカー。
【請求項４】
上記抵抗回路に含まれる上記第１抵抗素子と上記第２抵抗素子は、相対的に上記第１抵抗素子が高抵抗素子で、上記第２抵抗素子が低抵抗素子であることを特徴とする請求項２または３に記載の配線チェッカー。
【請求項５】
上記第１スイッチ手段と上記第２スイッチ手段とが連動スイッチであり、上記第２入力端子が上記第１内部接点に接続されるに伴って上記第３入力端子が上記第３内部接点に接続され、上記第２入力端子が上記第２内部接点に接続されるに伴って上記第３入力端子が上記第４内部接点に接続されることを特徴とする請求項３に記載の配線チェッカー。
【請求項６】
検査する配線対象が上記活電線，中性線および接地線が接続される接地極付きコンセント内の配線であり、上記第１ないし第３入力端子として、上記コンセントに差し込まれる栓刃が用いられることを特徴とする請求項１ないし５のいずれか１項に記載の配線チェッカー。
【請求項７】
検査する配線対象が上記活電線，中性線および接地線の各引き込み配線が接続される分電盤であり、上記第１ないし第３入力端子として、上記分電盤内の配線と接触するテストプローブもしくはテストクリップの接触端子が用いられることを特徴とする請求項１ないし５のいずれか１項に記載の配線チェッカー。
【発明の詳細な説明】
【技術分野】
【０００１】
本発明は、商用電源ラインの活電線および中性線、大地に接続される接地線の屋内引き込み配線の配線状態を検査する配線チェッカーに関し、さらに詳しく言えば、接地極付きコンセント等における中性極（Ｎ）と接地線極（Ｅ）の誤配線の有無を検査するのに好適な簡易な構成の配線チェッカーに関するものである。
【背景技術】
【０００２】
社団法人日本電気協会より発行の改訂された内線規程によれば、電気洗濯機，電子レンジ，電気冷蔵庫等の水気を帯びる家電製品の電源コンセントについて、接地極付きコンセント（接地ピンを含む３Ｐプラグが入るコンセント）の使用が、これまでの勧告的事項から義務的事項に格上げされた。
【０００３】
図５（ａ）に示すように、接地極付きコンセント１は、商用電源ラインに含まれる柱上トランスＴＲの二次側と接続される活電線極Ｌおよび中性極Ｎと、大地に接続される接地線極Ｅの３つの端子を備えている。この場合、中性極ＮにはＢ種接地工事（系統接地）が適用され、接地線極ＥにはＤ種接地工事（機器接地）が適用される。
【０００４】
図５（ｂ）に示すように、活電線極Ｌおよび中性極Ｎは、分電盤２内の漏電ブレーカ３を介して屋内に引き込まれ、接地線極Ｅは、分電盤２内の集中接地端子４を介して大地に接地されるが、例えば分電盤２から負荷側に至る配線工事において、図５（ｃ）に示すように、中性極Ｎと接地線極Ｅとが逆接続（誤配線）、すなわち、中性極ＮがＤ種接地され、接地線極ＥがＢ種接地されることがある。
【０００５】
このような場合、負荷を接続すると往々にして漏電ブレーカ３が落ちる。漏電ブレーカ３が何らかの原因で作動しない場合もしくは漏電ブレーカ３が設置されていない場合には、Ｎ極の接地側電線（中性線）に流れるべき電流が接地線（Ｄ種接地）から大地に流れ込み、Ｂ種接地より柱上トランスＴＲに帰還する現象が発生する。
【０００６】
このように、大地に電流が流れることで、その大地には電位上昇が発生し、コンセントの結線が正常である近傍に設置されたコンピュータや電気機器の接地線極および水道管やガス管等の金属地中埋設物も同時に電位が上昇するため、誤動作および故障や感電，火災事故等を引き起こすおそれがある。
【０００７】
中性極Ｎと接地線極Ｅの逆接続を検査する検査機器の一例として、特許文献１に記載されたコンセントテスターや特許文献２に記載された接地極付きコンセントの極性チェック装置がある。
【０００８】
しかしながら、特許文献１のコンセントテスターは、コンセントの３つの端子に対応した各ラインごとにそれぞれスイッチが設けられ、まず、すべてのスイッチを開にして零点調整を行ったうえで、各スイッチを所定の順序で開閉するようにしているため、操作が面倒であるばかりでなく、構成が複雑で高価でもある。
【０００９】
特許文献２の極性チェック装置は、分電盤からＬ極，Ｎ極，Ｅ極にそれぞれ異なる信号を注入し、コンセント側でそれらの信号を検出して各極を判別する注入式と呼ばれる方式であり信頼性は高いが、親器と子器とを必要とすることから高価であり、また、作業者を２人必要とするため作業効率がよいとは言えない。
【先行技術文献】
【特許文献】
【００１０】
【特許文献１】特開平６−２７３４６７号公報
【特許文献２】特開２００６−３８７０７号公報
【発明の概要】
【発明が解決しようとする課題】
【００１１】
したがって、本発明の課題は、活電線極Ｌ，中性極Ｎおよび接地線極Ｅを有する例えば接地極付きコンセント等における中性極Ｎと接地線極Ｅの誤配線の有無を、簡易な構成でありながら容易に検査できるようにすることにある。
【課題を解決するための手段】
【００１３】
上記課題を解決するため、請求項１に係る発明は、商用電源ラインの活電線および中性線、大地に接続される接地線の３線を含む屋内引込配線における上記中性線と上記接地線の配線接続の適否を検査する配線チェッカーにおいて、上記活電線と接続されるべき第１入力端子，上記中性線と接続されるべき第２入力端子および上記接地線と接続されるべき第３入力端子の３つの入力端子と、直列に接続された第１および第２抵抗素子の少なくとも２つ抵抗素子を有し、上記第１入力端子と上記第２入力端子との間に、上記第１抵抗素子を上記第１入力端子側とし上記第２抵抗素子を上記第２入力端子側として接続された抵抗回路と、上記第２抵抗素子の両端間に接続された電圧測定手段と、上記第３入力端子を上記第２抵抗素子の低電位側に選択的に接続するスイッチ手段と、上記電圧測定手段により測定された測定電圧値に基づいて上記中性線と上記接地線の配線接続の適否を判定する判定手段とを備え、上記抵抗回路に含まれる上記第１抵抗素子と上記第２抵抗素子は、相対的に上記第１抵抗素子が高抵抗素子で、上記第２抵抗素子が低抵抗素子であり、上記判定手段は、上記スイッチ手段をオンにしたときと、上記スイッチ手段をオフにしたときとで上記測定電圧値が変化しない場合には正常配線と判定し、上記スイッチ手段をオンしたときと、オフにしたときとで上記測定電圧値が変化した場合には誤配線と判定することを特徴としている。
【００１４】
また、請求項２に係る発明は、商用電源ラインの活電線および中性線、大地に接続される接地線の３線を含む屋内引込配線における上記中性線と上記接地線の配線接続の適否を検査する配線チェッカーにおいて、上記活電線と接続されるべき第１入力端子，上記中性線と接続されるべき第２入力端子および上記接地線と接続されるべき第３入力端子の３つの入力端子と、直列に接続された第１および第２抵抗素子の少なくとも２つ抵抗素子を有し、上記第１入力端子と上記第３入力端子との間に、上記第１抵抗素子を上記第１入力端子側とし上記第２抵抗素子を上記第３入力端子側として接続された抵抗回路と、上記第２抵抗素子の両端間に接続された電圧測定手段と、上記第２入力端子を上記第２抵抗素子の低電位側に選択的に接続するスイッチ手段と、上記電圧測定手段により測定された測定電圧値に基づいて上記中性線と上記接地線の配線接続の適否を判定する判定手段とを備え、上記判定手段は、上記スイッチ手段をオンにしたときと、上記スイッチ手段をオフにしたときとで上記測定電圧値が変化する場合には正常配線と判定し、上記スイッチ手段をオンしたときと、オフにしたときとで上記測定電圧値が変化しない場合には誤配線と判定することを特徴としている。
【００１５】
また、請求項３に係る発明は、商用電源ラインの活電線および中性線、大地に接続される接地線の３線を含む屋内引込配線における上記中性線と上記接地線の配線接続の適否を検査する配線チェッカーにおいて、上記活電線と接続されるべき第１入力端子，上記中性線と接続されるべき第２入力端子および上記接地線と接続されるべき第３入力端子の３つの入力端子と、第１スイッチ手段を介して上記第２入力端子が選択的に接続される第１内部接点および第２内部接点と、第２スイッチ手段を介して上記第３入力端子が選択的に接続される第３内部接点および第４内部接点と、直列に接続された第１および第２抵抗素子の少なくとも２つの抵抗素子を有し、上記第１入力端子と上記第１内部接点との間に、上記第１抵抗素子を上記第１入力端子側とし上記第２抵抗素子を上記第１内部接点側として接続された抵抗回路と、上記第２抵抗素子の両端間に接続された電圧測定手段と、上記電圧測定手段により測定された測定電圧値に基づいて上記中性線と上記接地線の配線接続の適否を判定する判定手段とを備え、上記第２内部接点および第３内部接点が第３スイッチ手段を介して上記第２抵抗素子の低電位側に接続されているとともに、上記第４内部接点が上記第１内部接点とともに上記第２抵抗素子の低電位側に接続されており、上記判定手段は、上記第１および上記第２スイッチ手段により、上記第２入力端子が上記第１内部接点に接続され、上記第３入力端子が上記第３内部接点に接続されている第１の接続状態において、上記第３スイッチ手段をオンにしたときと、オフにしたときとで上記測定電圧値が変化せず、かつ、上記第１および上記第２スイッチ手段により、上記２入力端子が上記第２内部接点に接続され、上記第３入力端子が上記第４内部接点に接続されている第２の接続状態において、上記第３スイッチ手段をオンにしたときと、オフにしたときとで上記測定電圧値が変化した場合には正常配線と判定し、これに対して、上記第１の接続状態において、上記第３スイッチ手段をオンにしたときと、オフにしたときとで上記測定電圧値が変化し、かつ、上記第２の接続状態において、上記第３スイッチ手段をオンにしたときと、オフにしたときとで上記測定電圧値が変化しない場合には誤配線と判定することを特徴としている。
【００１７】
請求項４に係る発明は、請求項２または３において、上記抵抗回路に含まれる上記第１抵抗素子と上記第２抵抗素子は、相対的に上記第１抵抗素子が高抵抗素子で、上記第２抵抗素子が低抵抗素子であることを特徴としている。
【００１８】
請求項５に係る発明は、請求項３において、上記第１スイッチ手段と上記第２スイッチ手段とが連動スイッチであり、上記第２入力端子が上記第１内部接点に接続されるに伴って上記第３入力端子が上記第３内部接点に接続され、上記第２入力端子が上記第２内部接点に接続されるに伴って上記第３入力端子が上記第４内部接点に接続されることを特徴としている。
【００１９】
本発明には、請求項６に記載されているように、検査する配線対象が上記活電線，中性線および接地線が接続される接地極付きコンセント内の配線であり、上記第１ないし第３入力端子として、上記コンセントに差し込まれる栓刃が用いられる態様も含まれる。
【００２０】
また、本発明には、請求項７に記載されているように、検査する配線対象が上記活電線，中性線および接地線の各引き込み配線が接続される分電盤であり、上記第１ないし第３入力端子として、上記分電盤内の配線と接触するテストプローブもしくはテストクリップの接触端子が用いられる態様も含まれる。
【発明の効果】
【００２１】
本発明に必要とされる基本的な構成要素は、直列に接続された少なくとも２つの抵抗素子を有する抵抗回路、その抵抗回路のうちの中性極側に接続される抵抗素子の両端電圧を測定する電圧測定手段（電圧計）およびスイッチ手段でよく、いずれも安価で手軽に入手できることから、接地極付きコンセントに好適な簡易な構成で安価な配線チェッカーを提供することができる。
【００２２】
また、請求項１，２に係る発明によれば、スイッチを２回切り替え２通りの電圧値を測定するだけの操作で中性極Ｎと接地線極Ｅの逆接続（誤配線）の有無を容易に検査することができる。
【００２３】
これに対して、請求項３に係る発明によれば、スイッチを４回切り替え４通りの電圧値を測定することになるが、チェッカーの内部で中性極Ｎと接地線極Ｅの逆接続状態を作り出しているため、より高い信頼性が得られる。
【図面の簡単な説明】
【００２４】
【図１】本発明の第１実施形態に係り、（ａ）正常配線時，（ｂ）逆接続配線時の各検査状態を示す模式図。
【図２】上記第１実施形態の変形例を示す回路図。
【図３】本発明の第２実施形態に係り、（ａ）正常配線時，（ｂ）逆接続配線時の各検査状態を示す模式図。
【図４】本発明の第３実施形態に係り、（ａ）正常配線時，（ｂ）逆接続配線時の各検査状態を示す模式図。
【図５】内線規程による接地極付きコンセントの（ａ）正常配線状態を示す模式図，（ｂ）屋内への引き込み配線状態を示す模式図，（ｃ）逆接続の配線状態を示す模式図。
【発明を実施するための形態】
【００２５】
次に、図１ないし図４により、本発明の各実施形態について説明するが、本発明は、これらの実施形態に限定されるものではない。
【００２６】
なお、各実施形態ともに検査対象は、先の図５で説明した柱上トランスＴＲの二次側と接続される活電線極ＬおよびＢ種接地の中性極Ｎと、Ｄ種接地により大地に接続される接地線極Ｅの３つの端子を備えている接地極付きコンセント１であり、説明の便宜上、Ｂ種接地抵抗，Ｄ種接地抵抗およびその間の大地抵抗を合算して、その抵抗値をＲＥとしている。接地抵抗ＲＥは１０〜５００Ω程度である。
【００２７】
まず、図１を参照して、本発明の第１実施形態に係る配線チェッカー１０Ａについて説明する。
【００２８】
この第１実施形態に係る配線チェッカー１０Ａは、活電線極Ｌに接続されるべき第１入力端子としての電圧側栓刃１１，中性極Ｎに接続されるべき第２入力端子としての中性極栓刃２１および接地線極Ｅに接続されるべき第３入力端子としての接地線栓刃３１の３つの栓刃１１，２１，３１を備えている。
【００２９】
このうちの電圧側栓刃１１と中性極栓刃２１との間には、少なくとも２つの抵抗素子、好ましくは高抵抗素子ＲＨと低抵抗素子ＲＬとを直列に接続してなる抵抗回路４０が接続されている。
【００３０】
この場合、高抵抗素子ＲＨは電圧側栓刃１１側に接続され、低抵抗素子ＲＬは中性極栓刃１２側に接続される。一例として、高抵抗素子ＲＨの抵抗値はＭΩオーダー，低抵抗素子ＲＬの抵抗値はｋΩオーダーであることが好ましい。
【００３１】
接地線栓刃３１は、スイッチＳＷ１を介して抵抗回路４０に含まれている低抵抗素子ＲＬの低電位側に接続されている。スイッチＳＷ１は、機械式スイッチ，電子式スイッチのいずれが採用されてもよい。スイッチＳＷ１は、後述するように、配線の接続状態を判定する際にオン，オフされることから、判定用のスイッチである。
【００３２】
抵抗回路４０の低抵抗素子ＲＬの両端に、電圧測定手段としての電圧計５０が接続されている。電圧計５０にて測定された電圧は、判定回路６０に与えられる。判定回路６０は、その測定電圧に基づいて、中性極Ｎと接地線極Ｅとに対する配線が正常（中性極ＮがＢ種接地で、接地線極ＥがＤ種接地）であるか、逆接続（中性極ＮがＤ種接地で、接地線極ＥがＢ種接地）であるかどうかを判定し、その判定結果を報知手段６１により作業者に知らせる。なお、測定された電圧を電圧計５０にて直流に変換してもよい。
【００３３】
判定回路６０には、ＣＰＵやマイクロコンピュータ等のデジタル判定回路もしくはコンパレータを有するアナログ判定回路のいずれが用いられてもよいが、デジタル判定回路の場合には、その入力段にＡ／Ｄ変換器を必要とする。また、報知手段６１には、ランプやブザーもしくは表示パネル等が用いられてよい。
【００３４】
次に、この第１実施形態に係る配線チェッカー１０Ａの動作について説明する。なお、以下の説明において、高抵抗素子ＲＨ，低抵抗素子ＲＬを単に「抵抗素子ＲＨ，ＲＬ」と言うことがある。
【００３５】
コンセント１の活電線極Ｌ，中性極Ｎ，接地線極Ｅに、各栓刃１１，２１，３１を差し込んだのち、スイッチＳＷ１をオンにして接地線栓刃３１を抵抗素子ＲＬに接続した状態で、電圧計５０により抵抗素子ＲＬの両端間電圧を測定する。その測定電圧をＶｏｎとする。
【００３６】
次に、スイッチＳＷ１をオフにして電圧計５０により抵抗素子ＲＬの両端間電圧を測定する。その測定電圧をＶｏｆｆとする。なお、スイッチＳＷ１のオン，オフの順序は任意で、オフからオンとしてもよい。
【００３７】
判定回路６０は、ＶｏｎとＶｏｆｆとを対比する。ここで、図１（ａ）に示すように、中性極Ｎと接地線極Ｅとが正常に接続されている場合、スイッチＳＷ１をオン，オフしても電圧計５０の値は変化しない。
【００３８】
したがって、判定回路６０は、ＶｏｎとＶｏｆｆとを対比した結果、Ｖｏｎ＝Ｖｏｆｆ（もしくはＶｏｎ≒Ｖｏｆｆ）ならば、報知手段６１により正常配線であることを作業者に知らせる。
【００３９】
これに対して、図１（ｂ）に示すように、中性極Ｎと接地線極Ｅとが逆に接続されている場合、スイッチＳＷ１をオンにしたときには、電圧計５０の値は正常配線と同程度の測定電圧Ｖｏｎを示すが、スイッチＳＷ１をオフにしたときには、測定電圧がＲＬとＲＥとにより分圧されるため、電圧計５０での測定電圧Ｖｏｆｆは正常配線のときよりも低い値となる。
【００４０】
したがって、判定回路６０は、ＶｏｎとＶｏｆｆとを対比した結果、Ｖｏｎ＞Ｖｏｆｆならば、報知手段６１により誤配線であることを作業者に知らせる。
【００４１】
なお、図１（ｂ）に示す誤配線の場合、スイッチＳＷ１がオフのとき、漏電ブレーカ３（図５（ｂ）参照）が作動するおそれがあるが、抵抗回路４０には高抵抗素子ＲＨがあるため、漏れ電流を小さく抑えることができる。
【００４２】
次に、図２により上記第１実施形態の変形例について説明する。この変形例においては、上記第１実施形態と異なり、接地線栓刃３１は抵抗素子ＲＬの低電位側に常時接続で、中性極栓刃２１がスイッチＳＷ１を介して抵抗素子ＲＬの低電位側に選択的に接続される。
【００４３】
判定回路６０による判定も上記第１実施形態と逆で、ＶｏｎとＶｏｆｆとを対比し、Ｖｏｎ＞Ｖｏｆｆならば正常配線で、Ｖｏｎ＝Ｖｏｆｆ（もしくはＶｏｎ≒Ｖｏｆｆ）ならば誤配線と判定される。
【００４４】
次に、図３を参照して、本発明の第２実施形態に係る配線チェッカー１０Ｂについて説明する。
【００４５】
この第２実施形態に係る配線チェッカー１０Ｂは、判定の信頼性（判定精度）をより高めるため、上記第１実施形態に係る配線チェッカー１０Ａの構成に加えて、中性極Ｎと接地線極Ｅとを逆接続状態にする切替回路をさらに備える。
【００４６】
すなわち、中性極栓刃２１および接地線栓刃３１の各栓刃について、それぞれ、内部接点２１ａ，２１ｂと、内部接点３１ａ，３１ｂと、スイッチＳＷ２ａ，ＳＷ２ｂとが用意され、中性極栓刃２１がスイッチＳＷ２ａにより内部接点２１ａ，２１ｂのいずれか一方に選択的に接続され、接地線栓刃３１がスイッチＳＷ２ｂにより内部接点３１ａ，３１ｂのいずれか一方に選択的に接続されるようになっている。
【００４７】
各内部接点のうち、内部接点２１ａと内部接点３１ｂは、ともに低抵抗素子ＲＬの低電位側に接続されている。
【００４８】
また、内部接点３１ａは、判定用のスイッチＳＷ１を介して低抵抗素子ＲＬの低電位側に接続され、内部接点２１ｂは、内部接点３１ａと接続されており、内部接点３１ａとともに判定用のスイッチＳＷ１を介して低抵抗素子ＲＬの低電位側に接続されている。
【００４９】
この第２実施形態において、好ましくはスイッチＳＷ２ａ，ＳＷ２ｂは連動型のスイッチであり、中性極栓刃２１，接地線栓刃３１をともに、内部接点２１ａと内部接点３１ａもしくは内部接点２１ｂと内部接点３１ｂのいずれか一方に切り替える。このため、スイッチＳＷ２ａ，ＳＷ２ｂを総称してスイッチＳＷ２と言うことがある。
【００５０】
次に、この第２実施形態に係る配線チェッカー１０Ｂの動作について説明するが、図３（ａ）に示すように、中性極Ｎと接地線極Ｅとが正常に接続されている場合には、次のように動作する。
【００５１】
まず、スイッチＳＷ２により、中性極栓刃２１，接地線栓刃３１をともに内部接点２１ａと内部接点３１ａとに接続した状態で、判定用のスイッチＳＷ１をオン，オフすると、先の図１（ａ）で説明したのと同じく、オンにした際の電圧計５０の値Ｖｏｎと、オフにした際の電圧計５０の値Ｖｏｆｆは、Ｖｏｎ＝Ｖｏｆｆ（もしくはＶｏｎ≒Ｖｏｆｆ）となる。
【００５２】
引き続いて、スイッチＳＷ２により、中性極栓刃２１，接地線栓刃３１をともに内部接点２１ｂと内部接点３１ｂとに接続する。この接続状態は、先の図１（ｂ）で説明したのと同じく、中性極Ｎと接地線極Ｅとが逆に接続されたことになる。したがって、判定用のスイッチＳＷ１をオン，オフすると、Ｖｏｎ＞Ｖｏｆｆとなる。
【００５３】
このように、スイッチＳＷ２により、中性極栓刃２１，接地線栓刃３１をともに内部接点２１ａと内部接点３１ａとに接続し、判定用のスイッチＳＷ１をオンにしたときＶｏｎ＝Ｖｏｆｆ（もしくはＶｏｎ≒Ｖｏｆｆ）で、かつ、スイッチＳＷ２により、中性極栓刃２１，接地線栓刃３１をともに内部接点２１ｂと内部接点３１ｂとに接続し、判定用のスイッチＳＷ１をオフにしたとき、Ｖｏｎ＞Ｖｏｆｆとなれば、判定回路６０は、中性極Ｎと接地線極Ｅとが正常に接続されていると判定する。
【００５４】
これに対して、図３（ｂ）に示すように、中性極Ｎと接地線極Ｅの配線が入れ違っている場合には、スイッチＳＷ２により、中性極栓刃２１，接地線栓刃３１をともに内部接点２１ａと内部接点３１ａとに接続した状態で、判定用のスイッチＳＷ１をオン，オフすると、先の図１（ｂ）で説明したのと同じく、スイッチＳＷ１をオンしたときには、Ｖｏｎ＞Ｖｏｆｆとなり、スイッチＳＷ１をオフにしたときには、Ｖｏｎ＝Ｖｏｆｆ（もしくはＶｏｎ≒Ｖｏｆｆ）となる。
【００５５】
このように、スイッチＳＷ２により、中性極栓刃２１，接地線栓刃３１をともに内部接点２１ａと内部接点３１ａとに接続し、判定用のスイッチＳＷ１をオンにしたときＶｏｎ＞Ｖｏｆｆで、かつ、スイッチＳＷ２により、中性極栓刃２１，接地線栓刃３１をともに内部接点２１ｂと内部接点３１ｂとに接続し、判定用のスイッチＳＷ１をオフにしたとき、Ｖｏｎ＝Ｖｏｆｆ（もしくはＶｏｎ≒Ｖｏｆｆ）となれば、判定回路６０は、中性極Ｎと接地線極Ｅとが逆接続であると判定する。
【００５６】
まとめると、スイッチＳＷ２（ＳＷ２ａ，ＳＷ２ｂ）を内部接点２１ａと内部接点３１ａとに切り替えた状態で、スイッチＳＷ１をオン，オフにしたとき、Ｖｏｎ＝Ｖｏｆｆ（もしくはＶｏｎ≒Ｖｏｆｆ）で、かつ、スイッチＳＷ２を内部接点２１ｂと内部接点３１ｂとに切り替えた状態で、スイッチＳＷ１をオン，オフにしたとき、Ｖｏｎ＞Ｖｏｆｆであれば、正常配線と判定される。
【００５７】
これに対して、スイッチＳＷ２（ＳＷ２ａ，ＳＷ２ｂ）を内部接点２１ａと内部接点３１ａとに切り替えた状態で、スイッチＳＷ１をオン，オフにしたとき、Ｖｏｎ＞Ｖｏｆｆで、かつ、スイッチＳＷ２を内部接点２１ｂと内部接点３１ｂとに切り替えた状態で、スイッチＳＷ１をオン，オフにしたとき、Ｖｏｎ＝Ｖｏｆｆ（もしくはＶｏｎ≒Ｖｏｆｆ）であれば、誤配線と判定される。
【００５８】
これを自動で行うには、判定回路６０により、スイッチＳＷ１およびスイッチＳＷ２（ＳＷ２ａ，ＳＷ２ｂ）を上記のように切り替え制御するとともに、判定回路６０に、それらの切り替え時におけるＶｏｎ，Ｖｏｆｆの判定パターンを記憶させておけばよい。
【００５９】
次に、図４を参照して、本発明の第３実施形態に係る配線チェッカー１０Ｃについて説明する。
【００６０】
この第３実施形態に係る配線チェッカー１０Ｃは、上記第１実施形態に係る配線チェッカー１０Ａの構成を簡略化したもので、抵抗回路４０の低抵抗素子ＲＬの低電位側の一端を内部接点４１とし、この内部接点４１を判定用のスイッチＳＷ１ａより、中性極栓刃２１と接地線栓刃３１のいずれか一方に選択的に切り替えるようにしている。
【００６１】
その動作としては、スイッチＳＷ１ａを中性極栓刃２１側に切り替えたときの電圧計５０の測定電圧値をＶａとし、スイッチＳＷ１ａを接地線栓刃３１側に切り替えたときの電圧計５０の測定電圧値をＶｂとして、判定回路６０にてＶａとＶｂとを対比する。
【００６２】
図４（ａ）に示すように、中性極Ｎと接地線極Ｅとが正常に接続されていれば、Ｖａ＞Ｖｂとなり、図４（ｂ）に示すように、中性極Ｎと接地線極Ｅの配線が入れ違っていれば、Ｖａ＜Ｖｂとなるため、ＶａとＶｂの大小関係により、正常配線か誤配線かを判定することができる。
【００６３】
なお、上記各実施形態では検査対象を接地極付きコンセントとしているが、本発明の配線チェッカーは、分電盤２内の各引き込み配線をも検査することができ、その場合には、電圧側栓刃１１，中性極栓刃２１，接地線栓刃３１に代えて、各入力端子として、テストプローブもしくはテストクリップ等の接触端子を用いればよい。
【００６４】
また、本発明の配線チェッカーは、チェッカー単体として構成されてもよいが、多機能の電気測定装置にその一機能として組み込まれてもよい。
【符号の説明】
【００６５】
１  接地極付きコンセント
２  分電盤
３  漏電ブレーカ
４  集中接地端子
１０Ａ，１０Ｂ，１０Ｃ  配線チェッカー
１１  電圧側栓刃（第１入力端子）
２１  中性極栓刃（第２入力端子）
３１  接地線栓刃（第３入力端子）
２１ａ，２１ｂ，３１ａ，３１ｂ，４１  内部接点
４０  抵抗回路
５０  電圧計（電圧測定手段）
６０  判定回路
６１  報知手段
Ｅ  活電線極
Ｎ  中性極
Ｅ  接地線極
ＲＨ  高抵抗素子
ＲＬ  低抵抗素子
ＲＥ  接地抵抗
ＳＷ１，ＳＷ１ａ  判定用のスイッチ
ＳＷ２（ＳＷ２ａ，ＳＷ２ｂ）  連動スイッチ
【図１】
0005687515.tif 000002
【図２】
0005687515.tif 000003
【図３】
0005687515.tif 000004
【図４】
0005687515.tif 000005
【図５】
0005687515.tif 000006